(57)【要約】【課題】多色印刷における見当ずれを容易かつ精度良く検出する。【解決手段】多色印刷用の見当合せマークシステム１０は複数の見当合せマーク集合体１１ａ、１１ｂ、１１ｃ、１１ｄ、１１ｅ、…を備えている。各見当合せマーク集合体は一定ピッチで配置された第１色の複数の第１帯状マーク１２と、第１帯状マーク１２と同一ピッチで配置された第２色の複数の第２帯状マーク１３とを有している。第１帯状マーク１２の中心位置と第２帯状マーク１３の中心位置との間の距離は、中央の見当合せマーク集合体１１ａにおいて０となっており、左右の見当合せマーク集合体に向って順次大きくなっている。【選択図】　図１
2004058412.tif 000002
【特許請求の範囲】
【請求項１】
多色印刷用の見当合せマークシステムにおいて、
直線方向に順次配置された複数の見当合せマーク集合体を備え、
各見当合せマーク集合体は一定ピッチで配置された第１色の複数の第１帯状マークと、第１帯状マークと同一ピッチで配置され第１帯状マーク上に重なり合う第２色の複数の第２帯状マークとを有し、
各見当合せマーク集合体における第１帯状マークの中心位置と第２帯状マークの中心位置との間の距離は、隣接する見当合せマーク集合体における第１帯状マークの中心位置と第２帯状マークの中心位置との間の距離に対して相違することを特徴とする多色印刷用の見当合せマークシステム。
【請求項２】
第１帯状マークの中心位置と第２帯状マークの中心位置との間の距離は、中央の見当合せマーク集合体において０となっており、中央の見当合せマーク集合体以外の見当合せマーク集合体については中央の見当合せマーク集合体から離れる程順次大きくなることを特徴とする請求項１記載の多色印刷用の見当合せマークシステム。
【請求項３】
多色印刷用の見当合せマークシステムにおいて、
第１色の複数の第１点状マークと、
第１点状マーク上に重なり合う複数の第２色の第２点状マークとを備え、
第１点状マークは第１ピッチをもって上下方向および左右方向に平面状に配置され、
第２点状マークは第１ピッチと異なる第２ピッチをもって上下方向および左右方向に平面状に配置されることを特徴とする多色印刷用の見当合せマークシステム。
【発明の詳細な説明】
【０００１】
【発明の属する技術分野】
本発明は多色印刷用の見当合せマークシステムに係り、とりわけ容易かつ精度良く見当ずれを検出することができる多色印刷用の見当合せマークシステムに関する。
【０００２】
【従来の技術】
従来より多色印刷用の見当合せを行なう場合、多色により複数の十字マークを印刷し、各十字マーク同志のずれを見当ずれとして目盛付きルーペや顕微鏡により拡大観察している。
【０００３】
このような拡大観察による見当合せを行なう場合、目盛付きルーペや顕微鏡が必要となり、かつ顕微鏡を用いる場合は、印刷物から十字マークを含む部分を切り取ってサンプルを作成する必要があり、見当合せ作業が煩雑となる。
【０００４】
他方、印刷により細線からなる見当合せマークを作成し、目視により見当ずれを検出する方法も開発されている（特開昭６２−２３４９３５）。しかしながら、このような見当合せマークを用いた方法では、見当ずれの方向性を特定することができない。
【０００５】
【発明が解決しようとする課題】
本発明はこのような点を考慮してなされたものであり、容易かつ精度良く多色印刷における見当ずれを検出することができる多色印刷用の見当合せマークシステムを提供することを目的とする。
【０００６】
【課題を解決するための手段】
本発明は、多色印刷用の見当合せマークシステムにおいて、直線方向に順次配置された複数の見当合せマーク集合体を備え、各見当合せマーク集合体は一定ピッチで配置され第１色の複数の第１帯状マークと、第１帯状マークと同一ピッチで配置された第１帯状マーク上に重なり合う第２色の複数の第２帯状マークとを有し、各見当合せマーク集合体における第１帯状マークの中心位置と第２帯状マークの中心位置との間の距離は、隣接する見当合せマーク集合体における第１帯状マークの中心位置と第２帯状マークの中心位置との間の距離に対して相違することを特徴とする多色印刷用の見当合せマークシステムである。
【０００７】
本発明は、第１帯状マークの中心位置と第２帯状マークの中心位置との間の距離は、中央の見当合せマーク集合体において０となっており、中央の見当合せマーク集合体以外の見当合せマーク集合体については中央の見当合せマーク集合体から離れる程順次大きくなることを特徴とする請求項１記載の多色印刷用の見当合せマークシステムである。
【０００８】
本発明は、多色印刷用の見当合せマークシステムにおいて、第１色の複数の第１点状マークと、第１点状マーク上に重なり合う複数の第２色の第２点状マークとを備え、第１点状マークは第１ピッチをもって上下方向および左右方向に平面状に配置され、第２点状マークは第１ピッチと異なる第２ピッチをもって上下方向および左右方向に平面状に配置されることを特徴とする多色印刷用の見当合せマークシステムである。
【０００９】
【発明の実施の形態】
第１の実施の形態
以下、図面を参照して本発明の実施の形態について説明する。
【００１０】
図１および図２は本発明による多色印刷用の見当合せマークシステムの第１の実施の形態を示す図である。
【００１１】
図１および図２に示すように、見当合せマーク１０は直線方向、例えば図１において左右方向に順次配置された複数の見当合せマーク集合体１１ａ、１１ｂ、１１ｃ、１１ｄ、１１ｅ、…を備えている。
【００１２】
各見当合せ集合体１１ａ、１１ｂ、１１ｃ、１１ｄ、１１ｅ、…は、各々一定ピッチ（例えば２００μｍピッチ）で配置された第１色の複数の第１帯状マーク１２、１２、…と、第１帯状マーク１２、１２、…と同一ピッチ（２００μｍピッチ）で配置された第２色の複数の第２帯状マーク１３、１３、…とを有している。
【００１３】
この場合、第１帯状マーク１２と第２帯状マーク１３とは互いに重なり合っており、また第１帯状マーク１２と第２帯状マーク１３は同一の幅（１００μｍ）を有している。
【００１４】
このように、各見当合せマーク集合体１１ａ、１１ｂ、１１ｃ、１１ｄ、１１ｅ、…において、いずれも第１帯状マーク１２と第２帯状マーク１３は同一の配置ピッチ（２００μｍ）で同一幅（１００μｍ）を有している。
【００１５】
さらに見当合せマーク集合体１１ａにおいて、第１帯状マーク１２の中心位置と第２帯状マークの中心位置は完全に一致し（両者のずれ量は０）、このため第１帯状マーク１２と第２帯状マーク１３は完全に重なるようになっている。
【００１６】
また見当合せマーク集合体１１ａに隣接する見当合せマーク集合体１１ｂにおいて、第１帯状マーク１２の中心位置と第２帯状マーク１３の中心位置は２０μｍの距離だけずれている。このため第１帯状マーク１２と第２帯状マーク１３は完全に重なることはなく、各々わずかに外方へ突出する。
【００１７】
また見当合せマーク集合体１１ｃにおいて、第１帯状マーク１２の中心位置と第２帯状マーク１３の中心位置は、４０μｍの距離だけずれている。
【００１８】
このように見当合せマーク集合体１１ｄ、１１ｅ、…において第１帯状マーク１２の中心位置と第２帯状マーク１３の中心位置は、６０μｍ、８０μｍ、…２００μｍの距離だけずれている。
【００１９】
なお、図１において、見当合せマーク集合体１１ａの右方に順次見当合せマーク集合体１１ｂ、１１ｃ、１１ｄ、１１ｅ、…が配置されるとともに、更に見当合せマーク集合体１１ａの左方にも見当合せマーク集合体１１ｂ、１１ｃ、１１ｄ、１１ｅ、…と左右対象となる構成の見当合せマーク集合体１１ｂ′、１１ｃ′、…が各々配置されている。
【００２０】
従って見当合せマーク集合体１１ａは見当合せマークシステム１０の中央部に位置することになる。
【００２１】
次にこのような構成からなる本実施の形態の作用について説明する。
【００２２】
まず多色印刷機によりウエブに対して多色印刷、例えば２色印刷が施される。
【００２３】
この場合、第１色目の印刷の際、見当合せマークシステム１０の各見当合せマーク集合体１１ａ、１１ｂ、１１ｃ、１１ｄ、１１ｅ、…、１１ｂ′、１１ｃ′、…のうち第１色の第１帯状マーク１２が形成される。
【００２４】
次に第２色目の印刷の際、各見当合せマーク集合体１１ａ、１１ｂ、１１ｃ、１１ｄ、１１ｅ、…、１１ｂ′、１１ｃ′、…のうち第２色の第２帯状マーク１３が形成される。
【００２５】
このような目当マークシステム１０において、２色印刷間において見当ずれが全くない場合、２色印刷により形成された見当合せマークシステム１０は、図１に示す状態となる。
【００２６】
次に、作成された見当合せマークシステム１０を上方から濃度計を用いて観察した場合、中央部の見当合せマーク集合体１１ａ近傍に印刷されない空白部が存在するため、中央部の見当合せマーク集合体１１ａ近傍が薄く観察され、２色印刷間において見当ずれがないものとして判定される。
【００２７】
他方、２色印刷間において、例えば右方向に２０μｍの見当ずれが生じた場合、予め第１帯状マーク１２の中心位置と第２帯状マーク１３の中心位置との間の距離を２０μｍだけずらした見当合せマーク集合体１１ｂにおいて、第１帯状マーク１２と第２帯状マーク１３とが互いに完全に重なることになる。
【００２８】
このため、当該見当合せマーク集合体１１ｂ近傍に印刷されない空白部が存在するので、見当合せマーク集合体１１ｂ近傍が薄く観察される。
【００２９】
次に図２（ａ）（ｂ）により、濃度計による測定結果について述べる。図２（ａ）に示すように、濃度計により測定した結果、第１帯状マーク１２の中心位置と第２帯状マーク１３の中心位置との間の距離が２０μｍだけずれた場合に濃度計の値が最小値を示したとき、２色印刷間の見当ずれ量は２０μｍとして判定する。
【００３０】
他方、濃度計により測定した測定点に基づいて延長線を引くことにより、濃度の最小値を求めてもよい（図２（ｂ））。
【００３１】
以上のように本実施の形態によれば、見当合せマーク集合体１１ａ、１１ｂ、１１ｃ、１１ｄ、１１ｅ、…、１１ｂ′、１１ｃ′、…の配置方向（図１の左右方向）の見当ずれの方向および見当ずれ量を迅速かつ精度良く検出することができる。
【００３２】
なお、上記実施の形態において、見当合せマーク集合体を図１の左右方向に配置する例を示したが、左右方向および上下方向にも配置することにより、左右方向および上下方向に関する見当ずれを検出することもできる。
【００３３】
第２の実施の形態
次に図３により本発明の第２の実施の形態について説明する。
【００３４】
図３に示すように、見当合せマークシステム２０は第１色の複数の第１点状マーク２１と、第２色の複数の第２点状マーク２２とを備えている。
【００３５】
このうち、第１点状マーク２１は正方形状をなし、左右方向および上下方向へ、第１ピッチで平面状に配置されている。第１点状マーク２１は隣合う第１点状マーク２１と接しており、このため第１点状マーク２１の印刷面積は５０％となっている。
【００３６】
また第２点状マーク２２も正方形状をなし、左右方向および上下方向へ、第１点状マーク２１の第１ピッチより小さい第２ピッチをもって平面状に配置されている。第２点状マーク２２は隣合う第２点状マーク２２と接しており、このため第２点状マーク２２の印刷面積は５０％となっている。
【００３７】
なお、図３において、第１点状マーク２１と第２点状マーク２２とは互いに１周期分だけ示されている。すなわち、図３に示す見当合せマークシステム１０の中央部において、第１点状マーク２１間の空間内に第２点状マーク２２が配置されているため、見当合せマークシステム１０はこの中央部の濃度は濃くなる。他方、図３に示す見当合せマークシステム１０の４隅の部分において、第１点状マーク２１と第２点状マーク２２とが完全に重なり合うため、見当合せマークシステム１０はこの４隅の部分において濃度が薄くなっている。
【００３８】
また図３に示す見当合せマークシステム１０において、左端から右端までの間において、第１点状マーク２１と第２点状マーク２２の配置周期が１周期となるので、第１点状マーク２１の第１ピッチと第２点状マーク２２の第２ピッチの比は３１：３０となる。
【００３９】
図３に示す見当合せマークシステム２０において、第１色目の印刷と第２色目の印刷間において見当ずれがない場合、見当合せマークシステム２０は図２に示す状態となる。
【００４０】
作成された見当合せマークシステム２０を上方から濃度計を用いて観察した場合、中央部において第１点状マーク２１間に完全に第２点状マーク２２が配置されているため、この中央部が濃くなる。
【００４１】
一方２色印刷間において見当ずれが生じた場合、第１点状マーク２１間に完全に第２点状マーク２２が配置されて濃度が濃くなる領域が中央部からずれる。
【００４２】
見当ずれが生じた結果、見当合せマークシステム２０において濃度が濃くなる領域は、２色印刷間における見当ずれの方向および見当ずれ量と一致するため、見当合せマークシステム２０において濃度が濃くなる領域の位置を濃度計により測定することにより、見当ずれの方向および見当ずれ量を容易かつ精度良く検出することができる。
【００４３】
なお、図３において、第１点状マーク２１および第２点状マーク２２を正方形状のものとして示したが、これに限らず丸状またはひし形のものを用いてもよい。
【００４４】
【発明の効果】
以上のように本発明によれば、多色印刷を行なう場合、多色印刷により形成された見当合せマークシステムを用いて、容易かつ精度良く見当ずれ量およびその方向を検出することができる。
【図面の簡単な説明】
【図１】本発明による多色印刷用の見当合せマークシステムの第１の実施の形態を示す図。
【図２】濃度計の測定結果を示す図。
【図３】本発明による多色印刷用の見当合せマークシステムの第２の実施の形態を示す図。
【符号の説明】
１０　見当合せマークシステム
１１ａ、１１ｂ、１１ｃ、１１ｄ、１１ｅ　見当合せマーク集合体
１１ｂ′、１１ｃ′、　見当合せマーク集合体
１２　第１帯状マーク
１３　第２帯状マーク
２０　見当合せマークシステム
２１　第１点状マーク
２２　第２点状マーク
【図１】
2004058412.tif 000003
【図２】
2004058412.tif 000004
【図３】
2004058412.tif 000005